(57)【要約】【課題】  本発明は、乾燥調製設備の運転情報について、簡易な方法で管理者に提供できることを課題とする。【解決手段】  穀物を乾燥する乾燥機（Ｋ）と、乾燥機（Ｋ）で乾燥した穀物を籾摺選別する籾摺選別機（４）と、籾摺選別機（４）で籾摺選別された仕上穀物を設定量ずつ計量する計量器（７）を備え、乾燥機（Ｋ）の運転情報と、籾摺選別機（４）の運転情報と、計量器（７）の運転情報のそれぞれを管理用端末（Ｔ）に送信可能に構成し、  乾燥機（Ｋ）と、籾摺選別機（４）と、計量器（７）の各装置毎の運転時間と、該各装置毎の運転時間を足し合わせた総運転時間を示すグラフを管理用端末（Ｔ）に表示することを特徴とする乾燥調製設備における管理システム【選択図】  図２
2019036034.tif 000002
【特許請求の範囲】
【請求項１】
穀物を乾燥する乾燥機（Ｋ）と、乾燥機（Ｋ）で乾燥した穀物を籾摺選別する籾摺選別機（４）と、籾摺選別機（４）で籾摺選別された仕上穀物を設定量ずつ計量する計量器（７）を備え、乾燥機（Ｋ）の運転情報と、籾摺選別機（４）の運転情報と、計量器（７）の運転情報のそれぞれを管理用端末（Ｔ）に送信可能に構成し、
乾燥機（Ｋ）と、籾摺選別機（４）と、計量器（７）の各装置毎の運転時間と、該各装置毎の運転時間を足し合わせた総運転時間を示すグラフを管理用端末（Ｔ）に表示することを特徴とする乾燥調製設備における管理システム。
【請求項２】
乾燥機（Ｋ）に収容された穀物が複数の圃場で収穫された穀物である場合は、総運転時間及び前記各装置毎の運転時間を、前記圃場の広さ又は乾燥機（Ｋ）内で測定された圃場毎の穀物量で按分したグラフを管理用端末（Ｔ）に表示することを特徴とする請求項１記載の乾燥調製設備の管理システム。
【請求項３】
乾燥機（Ｋ）に収容された穀物が複数の圃場で収穫された穀物である場合は、計量器（７）で計量された仕上穀物の総重量を、前記圃場の広さ又は乾燥機（Ｋ）内で測定された圃場毎の穀物量で按分して管理用端末（Ｔ）に表示することを特徴とする請求項１又は請求項２記載の乾燥調製設備の管理システム。
【請求項４】
乾燥機（Ｋ）に収容された穀物が複数の圃場で収穫された穀物である場合は、
乾燥機（Ｋ）の乾燥運転で使用された燃料の量又は使用された燃料の量から換算された料金を、圃場の広さ又は乾燥機（Ｋ）内で測定された圃場毎の穀物量で按分して管理用端末（Ｔ）に表示することを特徴とする請求項１から請求項３のいずれかに記載の乾燥調製設備の管理システム。
【請求項５】
乾燥機（Ｋ）に収容された穀物が複数の圃場で収穫された穀物である場合は、前記各装置の使用電力量又は使用電力量から換算された電力料金を、圃場の広さ又は乾燥機（Ｋ）内で測定された圃場毎の穀物量で按分して管理用端末（Ｔ）に表示することを特徴とする請求項１から請求項４のいずれかに記載の乾燥調製設備の管理システム。
【請求項６】
乾燥機（Ｋ）に収容された穀物が複数の圃場で収穫された穀物である場合は、計量器（７）で計量された仕上穀物の総重量を、前記圃場の広さ又は乾燥機（Ｋ）内で測定された圃場毎の穀物量で按分して管理用端末（Ｔ）に表示すると共に、前記按分した圃場毎の仕上穀物量それぞれについて販売金額を換算して表示することを特徴とする請求項１から請求項５のいずれかに記載の乾燥調製設備の管理システム。
【発明の詳細な説明】
【技術分野】
【０００１】
本発明は、収穫した穀物を乾燥調製処理する乾燥調製設備に関する。
【背景技術】
【０００２】
乾燥機・籾摺機・計量器等を備え、各装置の運転情報を管理用の端末で管理する乾燥調製設備に関して、各装置の運転開始時間や作業終了時間を管理する技術が記載されている。
【先行技術文献】
【特許文献】
【０００３】
【特許文献１】特開２０１６−６５８１４号公報
【発明の概要】
【発明が解決しようとする課題】
【０００４】
乾燥調製設備の管理者が、乾燥調製作業を終えた後で、各装置における運転情報を把握したいという要望がある。
【０００５】
本発明は、このような運転情報について、簡易な方法で管理者に提供できることを課題とする。
【課題を解決するための手段】
【０００６】
かかる課題を解決するために、
請求項１記載の発明は、
穀物を乾燥する乾燥機（Ｋ）と、乾燥機（Ｋ）で乾燥した穀物を籾摺選別する籾摺選別機（４）と、籾摺選別機（４）で籾摺選別された仕上穀物を設定量ずつ計量する計量器（７）を備え、乾燥機（Ｋ）の運転情報と、籾摺選別機（４）の運転情報と、計量器（７）の運転情報のそれぞれを管理用端末（Ｔ）に送信可能に構成し、
乾燥機（Ｋ）と、籾摺選別機（４）と、計量器（７）の各装置毎の運転時間と、該各装置毎の運転時間を足し合わせた総運転時間を示すグラフを管理用端末（Ｔ）に表示することを特徴とする乾燥調製設備における管理システムとする。
【０００７】
これにより、管理者は、乾燥運転及び調製運転の終了後に、各装置に要した運転時間と、各装置毎の運転時間を足し合わせた総運転時間の双方を容易に把握することができるので、次回の運転の計画が把握し易い。
【０００８】
請求項２記載の発明は、
乾燥機（Ｋ）に収容された穀物が複数の圃場で収穫された穀物である場合は、総運転時間及び前記各装置毎の運転時間を、前記圃場の広さ又は乾燥機（Ｋ）内で測定された圃場毎の穀物量で按分したグラフを管理用端末（Ｔ）に表示することを特徴とする請求項１記載の乾燥調製設備の管理システムとする。
【０００９】
これにより、管理者は、簡易な方法で圃場毎に要した運転時間を把握することができる。
【００１０】
請求項３記載の発明は、
乾燥機（Ｋ）に収容された穀物が複数の圃場で収穫された穀物である場合は、計量器（７）で計量された仕上穀物の総重量を、前記圃場の広さ又は乾燥機（Ｋ）内で測定された圃場毎の穀物量で按分して管理用端末（Ｔ）に表示することを特徴とする請求項１又は請求項２記載の乾燥調製設備の管理システムとする。
【００１１】
これにより、管理者は、簡易な方法で圃場毎の仕上穀物量を把握することができる。
【００１２】
請求項４記載の発明は、
乾燥機（Ｋ）に収容された穀物が複数の圃場で収穫された穀物である場合は、
乾燥機（Ｋ）の乾燥運転で使用された燃料の量又は使用された燃料の量から換算された料金を、圃場の広さ又は乾燥機（Ｋ）内で測定された圃場毎の穀物量で按分して管理用端末（Ｔ）に表示することを特徴とする請求項１から請求項３のいずれかに記載の乾燥調製設備の管理システムとする。
【００１３】
これにより、管理者は、簡易な方法で圃場毎に要した燃料の量又は燃料の料金を把握することができる。
【００１４】
請求項５記載の発明は、
乾燥機（Ｋ）に収容された穀物が複数の圃場で収穫された穀物である場合は、前記各装置の使用電力量又は使用電力量から換算された電力料金を、圃場の広さ又は乾燥機（Ｋ）内で測定された圃場毎の穀物量で按分して管理用端末（Ｔ）に表示することを特徴とする請求項１から請求項４のいずれかに記載の乾燥調製設備の管理システムとする。
【００１５】
これにより、管理者は、簡易な方法で圃場毎に要した電力量又は電力料金を把握することができる。
【００１６】
請求項６記載の発明は、
乾燥機（Ｋ）に収容された穀物が複数の圃場で収穫された穀物である場合は、計量器（７）で計量された仕上穀物の総重量を、前記圃場の広さ又は乾燥機（Ｋ）内で測定された圃場毎の穀物量で按分して管理用端末（Ｔ）に表示すると共に、前記按分した圃場毎の仕上穀物量それぞれについて販売金額を換算して表示することを特徴とする請求項１から請求項５のいずれかに記載の乾燥調製設備の管理システムとする。
【００１７】
これにより、管理者は、簡易な方法で圃場毎の販売金額を把握することができる。
【発明の効果】
【００１８】
本発明により、簡易な方法で、運転終了後の運転情報を把握することができ、次回の運転の計画を立てやすくすることができる乾燥調製設備を提供することができる。
【図面の簡単な説明】
【００１９】
【図１】乾燥調製設備の全体図
【図２】乾燥調製設備の運転情報を示す図
【図３】乾燥調製設備の各種運転情報を示す図
【図４】籾摺選別機の内部を説明する図
【図５】穀物乾燥機の外観図
【図６】米選機の内部を説明する図
【図７】制御ブロック図
【発明を実施するための形態】
【００２０】
本発明の実施の形態の乾燥調製設備について、以下説明する。
【００２１】
図１に示すように、収穫した穀物を投入する荷受けホッパ１と、穀物を搬送する昇降機やフライトコンベアからなる搬送機２と、複数の穀物乾燥機Ｋ（Ｋ１〜Ｋ４）と、穀物乾燥機Ｋから排出された穀物（籾）を一時貯留する穀物貯留タンク３と、穀物貯留タンク３から供給される穀物を籾摺選別する籾摺選別機４と、籾摺選別機４から排出された仕上穀物（玄米）から屑米を選別する米選機５と、米選機５で選別された仕上穀物を貯留する仕上穀物貯留タンク６と、仕上穀物貯留タンク６から設定量毎の仕上穀物を計量して袋ｈに袋詰めするための計量器７を備えている。
【００２２】
穀物乾燥機Ｋの制御部４０と、籾摺選別機４の制御部４１と、米選機５の制御部４２と、計量器７の制御部４３は、管理用端末Ｔと通信接続する構成とし、管理用端末Ｔの画面に各装置の運転情報が表示される構成である。
【００２３】
図５は穀物乾燥機Ｋの外観図を示している。穀物を収容する箱体１０と、乾燥速度や目標水分値を設定する操作盤１１と、搬送中の穀物からサンプルを採取して水分値を検出する水分計１２を設けている。また、熱風を生成する燃焼バーナ９に供給する燃料を収容する燃料タンク１３を備え、燃料タンク１３から供給する燃料量を検出する燃料流量計１４を設けている。また、乾燥機内部の穀物を搬送する乾燥機メインモータ２６と、乾燥機メインモータ２６の使用電力量を検出する乾燥機用電力計２７を備えている。乾燥機電力計２７は熱風を機外に排出する排風ファン２８を駆動する排風ファンモータ（図示せず）の電力量をも検出しても良い。
【００２４】
図４は籾摺選別機４の内部を説明する図を示している。
【００２５】
籾摺りする籾摺ロール１５と、籾殻を風選する風選部１６と、籾と玄米を選別する揺動選別板１７と、揺動選別板１７の玄米層を仕切って取り出すための玄米仕切板１８と、籾摺選別機４を駆動する籾摺機メインモータ１９を備えている。玄米仕切板１８の仕切り位置を検出する仕切板位置検出センサ２５を備えている。玄米仕切板１８の位置により、仕上玄米として籾摺選別機４から排出される玄米量が変わるため、仕切板位置検出センサ位置２５で検出される玄米仕切板１８の位置情報は、いわゆる籾摺選別機４の選別能率を判断する尺度となる。また、籾摺機メインモータ１９の電力量を検出する籾摺機用電力計３０を設けている。
【００２６】
図７は米選機５の内部を説明する図を示している。
【００２７】
米選機５は、籾摺選別機４から排出された仕上穀物である玄米が流入する流入口２０と、玄米を揚穀する揚穀ラセン２１と、揚穀ラセン２１で揚穀する玄米から屑米を選別する選別網２２と、玄米を排出する玄米排出口２３と、米選機５を駆動する米選機メインモータ２４を設けている。米選機メインモータ２４の使用電力量を検出する米選機用電力計３１を設けている。
【００２８】
次に、収穫した籾を穀物乾燥機Ｋで乾燥し、籾摺選別機４で籾摺選別して玄米とし、計量器７で玄米を設定量毎に袋詰めする計量選別に至る作業工程について説明する。
【００２９】
圃場Ａと圃場Ｂから収穫した籾を穀物乾燥機Ｋ１に張り込む。穀物乾燥機Ｋ１にはロードセル等の重量計３２を備えており、張込穀物の重量を測定する。
【００３０】
穀物乾燥機Ｋ１で目標水分値まで乾燥すると乾燥運転を終了する。そして、乾燥終了時の籾の重量と乾燥運転時間の情報を管理用端末Ｔに送信する。
【００３１】
乾燥運転を終了した籾を穀物貯留タンク３に供給して一時貯留し、順次、籾摺選別機４に供給して籾摺選別が行われる。籾摺選別機４で籾摺選別された玄米が米選機５を通過して玄米に混じる屑米を選別して仕上穀物貯留タンク６に貯留される。仕上穀物貯留タンク６から計量器７により所定量の玄米が玄米袋ｈ（１袋３０ｋｇ）に収容され、オペレータは袋詰め作業を行う。
【００３２】
籾摺選別機４に要した籾摺選別作業時間及び計量器７による玄米袋詰め作業に要した時間を管理用端末Ｔに送信する。また、合わせて、計量器７で計量された玄米量の情報を管理用端末Ｔに送信する。
【００３３】
図２の（イ）は、穀物乾燥機Ｋ１に張り込まれた穀物の乾燥運転時間と、籾摺選別運転時間と、計量運転時間の各作業工程に要した時間を足し合わせた総運転時間を管理用端末Ｔの画面に示す棒グラフである。すなわち、棒の長さが時間の長さを示している。また、棒グラフの側方には、穀物乾燥機Ｋ１の重量計３２で測定した籾の総重量と、計量器７で測定した玄米の総重量が表示されている。
【００３４】
図２の（ロ）は、総運転時間及び各作業工程に要した運転時間を圃場Ａと圃場Ｂそれぞれの広さで按分したことを画面に示す図である。
【００３５】
図２の（ハ）は、籾の総重量と玄米の総重量を圃場Ａと圃場Ｂそれぞれの広さで按分した表を表示しており、さらに、玄米量から換算される販売金額と、販売金額から燃料費及び電力量費を差し引いた利益を表示している。
【００３６】
燃料については、燃料流量計１４の検出データから検出し、予め設定している燃料の単価から換算される。電力量については、穀物乾燥機Ｋのメインモータモータ２６や籾摺選別機４のメインモータ１９等に設ける電力計（２７，３０）の検出データから換算する。電力量の単価は燃料の単価と同様、予め設定しておく。そして、販売金額から燃料及び電力の料金を差し引いた金額を利益として表示する。それにより、管理者は圃場毎に得られる利益の概算を把握することができる。
【００３７】
図３は、穀物乾燥機Ｋ２に圃場Ｃと圃場Ｄと圃場Ｅの穀物を張り込んだ場合の、穀物の乾燥運転時間、籾摺選別運転時間と、計量運転時間の各作業工程に要した運転時間を足し合わせた総運転時間を示す棒グラフである。そして、総運転時間及び各作業工程に要した運転時間を圃場Ｃと圃場Ｄと圃場Ｅそれぞれの広さで按分したことを示す図である。考え方は図２と同様である。
【００３８】
図２と図３についての効果を説明する。
【００３９】
総運転時間を圃場の広さで按分することで、目安となる圃場毎の作業時間を簡易に換算できる。また、目安となる圃場毎の仕上玄米量や販売金額や費用や利益を簡易に換算して把握することができる。
【００４０】
また、穀物乾燥機Ｋ１と穀物乾燥機Ｋ２の運転時間を対比することで、各作業工程の能率の状況を把握することが可能となる。例えば、籾摺選別機４の作業工程が通常よりも長いと判断した場合に、そのときの仕切板位置検出センサ２５による玄米仕切板１７の位置情報から選別能率の検証を行うことが可能となる。また、穀物乾燥機Ｋの作業時間が長い場合には、乾燥速度の設定の検証を行うことができる。
【００４１】
図３は、穀物乾燥機Ｋ１の穀物を計量器で計量した総仕上玄米量を圃場Ａ及び圃場Ｂの広さで按分したものである。これにより、簡易な方法で圃場Ａ及び圃場Ｂの玄米量を換算することができる。
【００４２】
なお、図２及び図３の表に記載する「販売金額」・「燃料」・「電力」・「利益」の金額は、試験等に基づく厳密な数値ではなく、一例を示している。
【００４３】
また、本実施例の計量器７は仕上穀物貯留タンク６側に設けている構成であるが、米選機５に計量器を設けるいわゆる計量選別機を用いても良い。
【００４４】
本実施の形態の一例として、例えば、乾燥運転が終了した時点の穀物（籾）の重量を測定し、予測される仕上玄米の量を換算し、計量器７で使用される袋ｈの枚数を換算して表示することで、管理者は前もって袋ｈを準備することができる。また、前記予測される仕上玄米の量から、籾摺選別機４による運転時間が終了近くになることを検出して、管理用端末Ｔにその旨を表示することができる。ここで、籾摺選別機４による運転時間が終了近くになることとは、例えば、穀物乾燥機Ｋから穀物を排出時に、穀物乾燥機Ｋ内の穀物の有無を検出するセンサ（本実施例では水分計１２）が穀物無しを検出すると予想される少し前のタイミング等がある。
【００４５】
なお、図２と図３による圃場別の按分については、圃場の広さ以外に、穀物乾燥機Ｋの重量計３２で測定した穀物の重量に基づいて按分しても良い。この場合の圃場毎の穀物の重量の測定については、例えば、圃場Ａの穀物の穀物乾燥機Ｋ１への張り込みが終了した時点の重量計３２で測定した穀物重量の値を記憶し、次いで、圃場Ｂの穀物の穀物乾燥機Ｋ１への張り込みが終了した時点の穀物重量の値を記憶する。そして、圃場Ａと圃場Ｂそれぞれの穀物重量の値を管理用端末Ｔに送信し、管理用端末Ｔでは、圃場Ａと圃場Ｂそれぞれの穀物重量の比に基づき按分する。本実施の形態では、圃場Ａの穀物の張込が終了した後で、管理者が管理用端末Ｔに手動で張込が終了した穀物を圃場Ａと入力する。そして、次に、圃場Ｂの穀物の張込が終了した後で、管理者が管理用端末Ｔに手動で張込が終了した穀物を圃場Ｂと入力する。
【００４６】
この実施例によると、圃場で収穫されて穀物乾燥機に張り込まれた実際の穀物の重量に基づいて按分することができる。
【００４７】
なお、穀物重量以外に、穀物の体積を検出するセンサを用いて、圃場Ａと圃場Ｂの張込時の体積（嵩）による按分する構成としても良い。
【符号の説明】
【００４８】
４  籾摺選別機
５  米選機
７  計量器
Ｋ  乾燥機
Ｔ  管理用端末
【図１】
2019036034.tif 000003
【図２】
2019036034.tif 000004
【図３】
2019036034.tif 000005
【図４】
2019036034.tif 000006
【図５】
2019036034.tif 000007
【図６】
2019036034.tif 000008
【図７】
2019036034.tif 000009